(57)【特許請求の範囲】
【請求項１】
給水管に接続され、火災時には内部の弁体が開放されて給水管内の消火液が散布されるスプリンクラーヘッドに取付けられるハウジングと、スプリンクラーヘッドを覆い隠すカバープレートと、ハウジングに設置され内部に穴を有するマウントから構成され、マウントのカバープレート接続面がフランジ形状となっており、マウントの穴より溶融した低融点合金がカバープレートとマウントとの隙間に流出することによってカバープレートとマウントが接合されているスプリンクラーヘッドカバー。
【請求項２】
マウントはカバープレート接続面とその外周面がカバープレートと接合される請求項１記載のスプリンクラーヘッドカバー。
【請求項３】
マウントのカバープレート接続面にカバープレートとの間にマウントの穴より溶融した低融点合金により充填される隙間を形成する突起を有する請求項１記載のスプリンクラーヘッドカバー。
【請求項４】
カバープレートが曲面形状をしており、マウントのカバープレート接続面がカバープレートの曲面に接する斜面となっている請求項１記載のスプリンクラーヘッドカバー。
【請求項５】
マウントのカバープレート接続面に位置合わせ手段が設けられている請求項４記載のスプリンクラーヘッドカバー。
【請求項６】
カバープレートおよびマウントは熱伝導性能が良好な部材によって形成されており、ハウジングは断熱材料により形成されている請求項１記載のスプリンクラーヘッドカバー。
【請求項７】
給水管に接続され、火災時には内部の弁体が開放されて給水管内の消火液が散布されるスプリンクラーヘッドに取付られるハウジングと、スプリンクラーヘッドを覆い隠すカバープレートから構成され、ハウジングの下部にはフランジが形成されており、このフランジは底面がカバープレートとの接続面である複数の凹みを有しており、且つカバープレートとの間に隙間を形成することで熱気流をカバープレート内に流入させるフランジであって、該フランジの凹みの底面には貫通穴が形成されており、該貫通穴より溶融した低融点合金がカバープレートとこの凹みの底面との隙間に流出することによってカバープレートとフランジとが接合されるスプリンクラーヘッドカバー。
【請求項８】
フランジはカバープレート接続面とその外周面がカバープレートと接合される請求項７記載のスプリンクラーヘッドカバー。
【請求項９】
フランジは天井面に接する上面とカバープレートに接合する底面とを有する請求項７記載のスプリンクラーヘッドカバー。
【請求項１０】
ハウジングのフランジの底面にカバープレートとの間に穴より溶融した低融点合金により充填される隙間を形成する突起を有する請求項７記載のスプリンクラーヘッドカバー。
【請求項１１】
ハウジングとカバープレートとの間に三つ折された板バネが設置されている請求項１または請求項７記載のスプリンクラーヘッドカバー。
【請求項１２】
板バネのハウジング接触面の端に、折り返しが設けられている請求項１１記載のスプリンクラーヘッドカバー。
【請求項１３】
請求項１〜請求項１２何れか１項記載のスプリンクラーヘッドカバーのハウジングが設置可能なスプリンクラーヘッドであって、スプリンクラーヘッド下部に設置された感熱体と接続されるヒートコレクターが前記カバープレートと接触可能であるスプリンクラーヘッド。
【請求項１４】
ヒートコレクターは層状に複数枚設置されており、一番下のヒートコレクターがカバープレートに接触可能である請求項１３記載のスプリンクラーヘッド。
【請求項１５】
一番下のヒートコレクターは弾性材料より形成され、斜め下方に放射状に延出された複数枚の羽根を有する請求項１３記載のスプリンクラーヘッド。
【発明の詳細な説明】
【技術分野】
【０００１】
本発明は、建物内に設置され火災時に作動して消火液を散布するスプリンクラーヘッドおよび該スプリンクラーヘッドに設置されるスプリンクラーヘッドカバーに関するものである。
【背景技術】
【０００２】
建物内の天井や壁に設置されるスプリンクラーヘッドは、給水配管と接続されており、スプリンクラーヘッド内部の弁体によってノズルが閉鎖されている。弁体は感熱作動部により支持されており、該感熱作動部には感熱体が組込まれていて、感熱体が火災の熱を感知することで感熱作動部が作動に至り弁体が開放されるものである。
【０００３】
弁体が開放されると、ノズル内の消火液が放出され、消火液はノズルの先に設置されたデフレクターに衝突して四方に飛散し火災が抑制・消火される。
【０００４】
上記のスプリンクラーヘッドは、室内において意匠的にあまり好ましいものではないので、スプリンクラーヘッドを覆い隠すためのスプリンクラーヘッドカバーがある。
【０００５】
スプリンクラーヘッドカバーは、スプリンクラーヘッド外部に取付られるハウジングと、スプリンクラーヘッドを覆い隠すカバープレートから構成され、ハウジングとカバープレートは、低融点合金によって接合されている。
【０００６】
火災時、スプリンクラーヘッドカバーは火煙による熱気流およびカバープレートが吸収した熱によって低融点合金が溶融し、ハウジングとカバープレートとの接合が解除されてカバープレートが落下される。
【０００７】
続いてハウジング内部のスプリンクラーヘッドが火災の熱によって作動して消火液が散布されるものである。
【０００８】
スプリンクラーヘッドカバーが設置されたスプリンクラーヘッドの例として、カバープレートが円盤状のもの（例えば、特許文献１参照。）と、カバープレートが椀状のものとがある（例えば、特許文献２参照。）。
【０００９】
【特許文献１】米国特許第５３７２２０３号明細書
【特許文献２】米国特許第５０７２７９２号明細書
【発明の開示】
【発明が解決しようとする課題】
【００１０】
特許文献１記載のスプリンクラーヘッドカバーが設置されたスプリンクラーヘッドは、円盤状のカバープレートが設置されているので、天井面からの突出量が少なく意匠的に優れたものであるが、火災時にカバープレートが外れた後に、ハウジング内の奥に設置されているスプリンクラーヘッドに火災の熱気流が届き難く、スプリンクラーヘッドが作動に至るまでに時間を要するものである。
【００１１】
また、特許文献２記載のスプリンクラーヘッドカバーが設置されたスプリンクラーヘッドは、椀状のカバープレートが設置されたものであり、火災時においてはカバープレートの作動による落下およびスプリンクラーヘッドの作動が特許文献１のスプリンクラーヘッドよりも早く行なわれるものである。
【００１２】
しかしながら、カバープレートが椀状であるため、カバープレートとハウジングの接合部分が斜面となるので、ろう付けの際に溶融した低融点合金がカバープレートの斜面によって流れることから、ろう付け作業は困難なものとなり作業者の力量によっては接合強度にばらつきが発生するおそれがある。
【００１３】
カバープレートとハウジングの接合部分において、低融点合金の量が不足したり、接合面積が小さかったりすると接合強度が弱くなる。このような状態でカバープレートに外力が加わると、低融点合金がカバープレートあるいはハウジングから剥れたり、カバープレートが外れて落下してしまう可能性がある。
【００１４】
そこで本発明では、上記問題に鑑み、火災時には迅速に作動し、カバープレートとハウジングの接合強度にバラツキが生じず安定した接合強度が得られるスプリンクラーヘッドカバーおよびスプリンクラーヘッドの提供を目的としている。
【課題を解決するための手段】
【００１５】
上記の目的を達成するために、本発明者は火災時において天井下面を漂う熱気流から、効率よく熱を吸収して低融点合金の溶融を促進させるために、天井面に対するカバープレートの距離に着目して本発明を完成させた。
【００１６】
天井面下を漂う熱気流の温度は、天井面直下よりも天井面より下方に数ミリメートルから数十ミリメートルの部分の温度が最も高く、後は天井面から離れるに従い温度が低くなる傾向にある。
【００１７】
そこで、上記の天井面より下方に数ミリメートルから数十ミリメートルの部分にカバープレートを設置することで、熱気流より効率よく熱を吸収できることが明らかになった。
【００１８】
一方、スプリンクラーヘッドカバー内に収容されているスプリンクラーヘッドについても、火災時に迅速に作動されるように、スプリンクラーヘッドカバーが設置された状態でもスプリンクラーヘッドに熱を伝達できることを考慮した。
【００１９】
また、カバープレートの接合強度において、カバープレートを曲面形状とした場合でも、ハウジングとカバープレートの曲面との接合構造について、十分な接合強度が得られる構造とした。
【００２０】
請求項１記載の発明は、給水管に接続され、火災時には内部の弁体が開放されて給水管内の消火液が散布されるスプリンクラーヘッドに取付られるハウジングと、スプリンクラーヘッドを覆い隠すカバープレートと、ハウジングに設置され内部に穴を有するマウントから構成され、マウントのカバープレート接続面がフランジ形状となっており、マウントの穴より溶融した低融点合金がカバープレートとマウントとの隙間に流出することによってカバープレートとマウントが接合されているスプリンクラーヘッドカバーである。
【００２１】
請求項２記載の発明は、マウントがカバープレート接続面とその外周面がカバープレートと接合されるスプリンクラーヘッドカバーである。
【００２２】
請求項３記載の発明は、マウントのカバープレート接続面にカバープレートとの間に穴より溶融した低融点合金により充填される隙間を形成する突起を有するスプリンクラーヘッドカバーである。
【００２３】
請求項４記載の発明は、カバープレートが曲面形状をしており、マウントのカバープレート接続面がカバープレートの曲面に接する斜面となっているスプリンクラーヘッドカバーである。
【００２４】
請求項５記載の発明は、マウントのカバープレート接続面に位置合わせ手段が設けられているスプリンクラーヘッドカバーである。
【００２５】
請求項６記載の発明は、カバープレートおよびマウントは熱伝導性能が良好な部材によって形成されており、ハウジングは断熱材料により形成されているスプリンクラーヘッドカバーである。
【００２６】
請求項７記載の発明は、給水管に接続され、火災時には内部の弁体が開放されて給水管内の消火液が散布されるスプリンクラーヘッドに取付られるハウジングと、スプリンクラーヘッドを覆い隠すカバープレートから構成され、ハウジングの下部にはフランジが形成されており、このフランジは底面がカバープレートとの接続面である複数の凹みを有しており、且つカバープレートとの間に隙間を形成することで熱気流をカバープレート内に流入させるフランジであって、該フランジの凹みの底面には貫通穴が形成されており、該貫通穴より溶融した低融点合金がカバープレートとこの凹みの底面との隙間に流出することによってカバープレートとフランジとが接合されるスプリンクラーヘッドカバーである。
【００２７】
請求項８記載の発明は、フランジがカバープレート接続面とその外周面がカバープレートと接合されるスプリンクラーヘッドカバーである。
【００２８】
請求項９記載の発明は、フランジが天井面に接する上面とカバープレートに接合する底面とを有するスプリンクラーヘッドカバーである。
【００２９】
請求項１０記載の発明は、ハウジングのフランジの底面にカバープレートとの間に穴より溶融した低融点合金により充填される隙間を形成する突起を有するスプリンクラーヘッドカバーである。
【００３０】
請求項１１記載の発明は、ハウジングとカバープレートとの間に三つ折された板バネが設置されているスプリンクラーヘッドカバーである。
【００３１】
請求項１２記載の発明は、板バネのハウジング接触面の端に、折り返しが設けられているスプリンクラーヘッドカバーである。
【００３２】
請求項１３記載の発明は、請求項１〜請求項１２何れか１項記載のスプリンクラーヘッドカバーのハウジングが設置可能なスプリンクラーヘッドであって、スプリンクラーヘッド下部に設置された感熱体と接続されるヒートコレクターが前記カバープレートと接触可能であるスプリンクラーヘッドである。
【００３３】
請求項１４記載の発明は、ヒートコレクターは層状に複数枚設置されており、一番下のヒートコレクターがカバープレートに接触可能であるスプリンクラーヘッドである。
【００３４】
請求項１５記載の発明は、一番下のヒートコレクターは弾性材料より形成され、斜め下方に放射状に延出された複数枚の羽根を有しているスプリンクラーヘッドである。
【発明の効果】
【００３５】
請求項１記載の発明によれば、スプリンクラーヘッドカバーにおけるハウジングとカバープレートとの接合に、マウントを用いたことで、マウントがスペーサーの役割をしてカバープレートの設置高さが天井面下の熱気流を吸収しやすい位置に配置可能となる。
【００３６】
また、製造工程においてはマウントが既に設置されているハウジングに、マウント内へ低融点合金片を入れた後、ハウジングをカバープレートの上に載せて炉内で加熱すると、マウント内の低融点合金片が溶融する。これを冷却するとカバープレートとマウントが接合される。
【００３７】
上記によれば、一度に大量のスプリンクラーヘッドカバーを製造することが可能となり、また低融点合金片の量や炉内の温度、冷却時間等をコントロールすることで品質が安定した製品を製造できる。
【００３８】
さらにマウントのカバープレート接続面をフランジ形状としたことで、該フランジ面とカバープレートが低融点合金によりろう付けされ、接合面積が大きくなることで接合強度も大きくなる効果がある。
【００３９】
マウントのカバープレート接続面とカバープレートとの間に隙間を設ける発明によれば、低融点合金が溶融した際に、毛細管現象によって隙間内に低融点合金が流れ込む作用を有する。さらに溶融した低融点合金の表面張力によってカバープレート接続面の外周面にも低融点合金が付着し、カバープレート接続面の外周面とカバープレートとが低融点合金によって立体的に接合されて、接合強度が向上されるものでる。その隙間はマウントのカバープレート接続面に突起を設けることで作ることができる。
【００４０】
カバープレートを曲面形状とした発明では外力を受けても変形しにくい効果がある。またマウントとカバープレートとの接合強度が十分に得られるように、マウントのカバープレート接続面がカバープレートの曲面に接する斜面とした発明ではさらに接合強度を向上することができる。
【００４１】
カバープレートが曲面形状の場合には、マウントのカバープレート接続面が水平とならずに斜面となる。そこでカバープレート接続面に位置合わせ手段を設ける発明によれば、斜面であるカバープレート接続面の全周がカバープレートに接触される位置でマウントをハウジングに設置することができる。
【００４２】
ハウジングを断熱材料によって形成した発明では、カバープレートおよびマウントが吸収した火災の熱を低融点合金の溶融のみに消費されることができる。
【００４３】
また、上記のマウントを用いる換わりにハウジング下部に形成したフランジに貫通穴を穿設し、該貫通穴に低融点合金片を入れて炉内で加熱することでハウジングとカバープレートを接合することができる。
【００４５】
ハウジングのカバープレート接続面に低融点合金との接合が良好な材料による皮膜を有する発明によれば、ハウジングとカバープレートを接合した後に、ハウジングと低融点合金が剥離して接合強度が弱くなることを防止できる。
【００４６】
火災時においてカバープレートとマウントとを引き離して落下を促すために板バネを設置し、該板バネを三つ折形状とした発明によれば、作動のストロークが二つ折の板バネよりも大きくなる。
【００４７】
特に、カバープレートが曲面である場合には、板バネが接するカバープレートの曲面とハウジング底面とが平行ではないことから、板バネを三つ折形状として作動ストロークを大きくしたほうが、低融点合金が溶融した際にカバープレートをマウントから引き離すのに十分な作動ストロークを得ることができる。
【００４８】
前記板バネのハウジング接続面の端に折り返しを設けた発明によれば、折り返し部分がハウジングの周縁と係合されることにより、板バネがカバープレート内部に滑り込んでしまうことや、ハウジングの外に外れてしまうことが防止され、常に板バネが適切な位置に配置されるものである。
【００４９】
請求項１３から１５記載の発明によれば、スプリンクラーヘッドがカバープレートに覆われた状態でもカバープレートに接触しているヒートコレクターによって感熱体に熱を伝えることが可能な構造としたものである。
【００５０】
また、一番下のヒートコレクターが斜め下方に放射状に延出した複数枚の羽根を有する形状となっており、カバープレートが設置されている状態においてヒートコレクターの羽根は略水平方向に拡がっており、カバープレートが落下した際には、ヒートコレクターの羽根が斜め下方に延出した形状に復元して天井面下を漂う熱気流より熱を吸収しやすい構造としたものである。
【発明を実施するための最良の形態】
【００５１】
本発明の実施形態として以下に実施例１、２を示す。実施例１は請求項１から５および請求項１１、１２に記載されている発明の実施形態であり、実施例２は請求項７から１０に記載されている発明の実施形態である。また、実施例１、２のスプリンクラーヘッドカバーが設置される請求項１３から１５記載のスプリンクラーヘッドについては、実施例１の説明に含める。
【実施例１】
【００５２】
以下、この発明の実施例１を図１から図７を参照して説明する。図１は実施例１のスプリンクラーヘッドカバーおよびスプリンクラーヘッドの断面図、図２はスプリンクラーヘッドカバーの平面図、図３はスプリンクラーヘッドカバーの分解断面図、図４はカバープレートとマウントの接合前の断面図、図５はカバープレートとマウントの接合後の断面図、図６はスプリンクラーヘッドの断面図、図７はスプリンクラーヘッドカバーとスプリンクラーヘッドの係合部の拡大断面図、図８はカバープレートが落下した図、図９はスプリンクラーヘッドが作動した図である。
【００５３】
図１から図３に示す実施例１のスプリンクラーヘッドカバーは、ハウジング１、カバープレート２、マウント３により構成され、スプリンクラーヘッド４に取付けられる。
【００５４】
ハウジング１は、弾性を有する断熱材料、具体的にはステンレス材料や、合成樹脂または、金属材料に断熱材をコーティングしたものから構成されており、円筒部５と、円筒部５の下端に外側へ拡張したフランジ６が形成されている。
【００５５】
円筒部５は、複数の切込み５Ａによって細幅の可動面７、７・・・が形成されている。可動面７は切込みによって円筒部５と分けられていることから、外側および内側への弾性変形が可能となっている。該可動面７上にスプリンクラーヘッド４と係合するための爪８が斜め下方に突出して設けられている。
【００５６】
フランジ６に穿設された複数の穴６Ａにマウント３が装着され、マウント３がフランジ６より吊り下げられた状態で設置されている。
【００５７】
フランジ６の周縁には、フランジ６とカバープレート２の間に設置される板バネ９を係合するための切欠き１０が形成されている。板バネ９は弾性材料を三つ折にして形成されており、フランジ６と接触する側の端に爪１１が形成されている。
【００５８】
爪１１を一つの切欠き１０に係止した状態でフランジ６とカバープレート３の間に設置すると、板バネ９は爪１１によって切欠きに係止されているので、外力が加わった際に板バネ９がカバープレート２の内部に滑って外れてしまうことを防止できる。
【００５９】
カバープレート２は曲面形状をしており、周縁が立ち上がった形状となっている。周縁が立ち上がっていることで、前述の板バネ９が設置された状態から取外すことをできなくしている。
【００６０】
カバープレート２を曲面形状としたことで、カバープレート２の表面積が平面の場合よりも大きいので、天井下面を漂う熱気流から効率よく熱を吸収することができる。また、外力に対するカバープレート２の強度が向上するという効果が得られる。
【００６１】
マウント３は、円筒形状であり上部が絞られて小径筒１２となっている。該小径筒１２は、ハウジング１の穴６Ａに挿通され、フランジ６より突出した上側に部分した部分をカシメ加工によってハウジング１に固定される。
【００６２】
マウント３の下部には外側に拡張したフランジ１３となっており、フランジ１３は、マウント３の円筒軸に対して斜めに形成されている。
【００６３】
フランジ１３には切欠き１４が形成され、該切欠き１４はハウジング１とマウント３を接合する際に位置合わせに用いられる。該切欠き１４により位置合わせを行なうことでフランジ１３の斜面がカバープレート２と面接触する位置でハウジングに固定されるものである。
【００６４】
フランジ１３の下面は、カバープレート２と接続される面となっており、該面には突起１５が形成されている。該突起１５は、フランジ１３とカバープレート２との間に隙間１６を形成する作用を有するものである。
【００６５】
該隙間１６は、カバープレート２とマウント３を溶融させた低融点合金１７によって接合するときに、マウント３内部の溶融した低融点合金１７が毛細管現象によって該隙間１６内に流出する作用を有するものである（図５参照）。
【００６６】
隙間１６内の溶融した低融点合金１７は、表面張力によってフランジ１３の外周面にも付着し、この状態で冷却するとカバープレート２とマウント３が接合され、フランジ１３の底面とカバープレート２との接合だけでなく、フランジ１３の外周面とカバープレート２とが立体的に接合されるので強固に接合される。
【００６７】
図１および図６に示すスプリンクラーヘッド４は、給水配管４Ａと接続され、スプリンクラーヘッド内部の弁体４Ｂによってノズル４Ｃが閉鎖されている。弁体４Ｂは感熱作動部４Ｄにより支持されており、該感熱作動部４Ｄには感熱体４Ｅが組込まれていて、感熱体４Ｅが火災の熱を感知することで感熱作動部が作動に至り弁体４Ｂが開放されるものである。
【００６８】
ところで、大部分のスプリンクラーヘッドは、感熱体の構造がグラスバルブによるものと、低融点合金を使用したものに分けられるが、本発明に使用されるスプリンクラーヘッドの感熱体は、低融点合金を使用したものが用いられており、その構造の一例として、日本国公開特許公報の特開平７−２８４５４５号公報に記載されたものがある。
【００６９】
尚、本発明においては、スプリンクラーヘッドの内部構造についての説明は省略する。
【００７０】
本発明に使用される図６のスプリンクラーヘッド４は、感熱体２０として有底円筒形状のシリンダー２１内に低融点合金２２が充填され、該低融点合金２２の上にプランジャー２３が載置されているものである。
【００７１】
シリンダー２１の下部には、数枚の円盤形状をしたヒートコレクター２４が層状に設置されている。ヒートコレクター２４は、シリンダー２１内部の低融点合金２２に熱を伝えるため火災の熱を吸収しやすい材料、例えば銅や銅合金、アルミニウム等によって形成されている。
【００７２】
ヒートコレクター２４の一番下に放射状に複数枚の羽根２６を有するヒートコレクター２５が設置されている。
【００７３】
ヒートコレクター２５は、バネ材等の弾性材料により形成され、各々の羽根２６が放射状に斜め下方に向かって垂下された状態となっている。
【００７４】
スプリンクラーヘッド４にハウジング１を取付けると、カバープレート２の内側がヒートコレクター２５に接触され、羽根２６が外側に拡がった状態となる。カバープレート２が外れると、ヒートコレクター２５は弾性材料によって形成されているので、元の形状に戻る。
【００７５】
スプリンクラーヘッド４の外周面には、ハウジング１と係合するための鋸形ネジ２７が螺刻されている。鋸形ネジ２７のネジ山の断面形状は、上面２８が略水平な平面となっており、該平面より斜め下に延びた斜面２９が形成されている。
【００７６】
次に、本発明のスプリンクラーヘッドカバーの組立手順について説明する。
【００７７】
まず、ハウジング１とマウント３を接続する。ハウジング１のフランジ６に穿設された複数の穴６Ａに、マウント３の小径筒１２を通して、マウント３のフランジ１３に形成された切欠き１４の位置を合わせる。
【００７８】
この状態で小径筒１２をカシメによってフランジ６に固定する。すると、各々のマウント３のフランジ１３が、カバープレート２の内側に面接触される方向で固定される。
【００７９】
続いて、上記フランジ１３をカバープレート２の内側に載せ、マウント３内に低融点合金片１７を入れる（図４参照）。それを炉に入れて加熱すると低融点合金１７は炉内の熱によって溶融し、毛細管現象によってマウント３とカバープレート２との隙間１６に流出する（図５参照）。
【００８０】
このとき、表面張力によってマウント３とカバープレート２の隙間１６に溶融した低融点合金１７は、マウント３のフランジ１３の外周面にも付着し、カバープレート２とフランジ１３の外周面との間に低融点合金１７が介在している状態にある。
【００８１】
上記ハウジング１とカバープレート２を炉から取出して冷却すると、低融点合金１７が固まりハウジング１とカバープレート２が接合される。最後にハウジング１の切欠き１０と板バネ９の爪１１が係合されるように配置させ、板バネ９の下面がカバープレート２の周縁の立ち上がり部より内側に納まるまで押し込めばスプリンクラーヘッドカバーが出来上がる。
【００８２】
次に、スプリンクラーヘッドカバーを前述のスプリンクラーヘッド４に取付ける手順について説明する。
【００８３】
スプリンクラーヘッド４は天井内に配設された配管４Ａに接続され、感熱体２０より下側の構成品のみが天井面Ｃから突出された状態で設置されている。スプリンクラーヘッド４にスプリンクラーヘッドカバーをハウジング１の円筒部５より挿通させる。するとハウジング１の爪８が、スプリンクラーヘッド４の外周面に形成された鋸形ネジ２７の斜面２９に接触する。
【００８４】
図７に示すように鋸形ネジ２７のねじ山の断面形状は、上面２８が略水平な平面が形成されており、該平面より斜め下方に延びた斜面２９となっているので、爪８を上方に移動させる方向に対しては、爪８および爪８が設置されている可動面７が斜面２９に沿って外側に弾性変形するので鋸形ネジに引っかかることなくハウジング１を上方に移動させることが可能である。
【００８５】
ハウジング１のフランジ６が天井面Ｃと接触する位置までハウジング１を押し上げることでスプリンクラーヘッド４にスプリンクラーヘッドカバーを設置することができる。
【００８６】
上記の鋸形ネジにより、ハウジング１は天井方向への移動は可能であるが、逆の方向に移動することはできない。ハウジング１をスプリンクラーヘッドから取外す際にはハウジング１を回転させると鋸形ネジから取外すことができる。
【００８７】
続いて、火災時のスプリンクラーヘッドカバーおよびスプリンクラーヘッドの作動について説明する。
【００８８】
常時において、図１に示すようにスプリンクラーヘッドカバーのカバープレート２は、スプリンクラーヘッドのヒートコレクター２５に接触した状態にある。火災が発生すると、火災の熱によって熱せられた空気が上昇し、天井面下を漂う。
【００８９】
カバープレート２は熱気流より熱を吸収し、カバープレート２と接合している低融点合金１７およびスプリンクラーヘッド４のヒートコレクター２５を介して感熱体２０の低融点合金２２に熱を伝える。
【００９０】
また、ハウジング１のフランジ６とカバープレート２との間の隙間からカバープレート２内に熱気流が流入し、ヒートコレクター２４および２５、マウント３も熱気流から直接熱を吸収することができる。
【００９１】
カバープレート２とマウント３から低融点合金１７に伝播された熱は、断熱材料より形成されたハウジング１には伝わることがなく、低融点合金１７を溶融させるために作用される。
【００９２】
低融点合金１７の溶融によってカバープレート２とマウント３の接続強度が弱まり、また板バネ９がカバープレート２の落下を促すように作用するため、カバープレート２は落下し、ハウジング１内部のスプリンクラーヘッド４が露出する（図８参照）。
【００９３】
カバープレート２が落下すると、カバープレート２と接触していたヒートコレクター２５の羽根２６が元の形状に戻り、各々の羽根２６が斜め下方に突出した形状となる。
【００９４】
ヒートコレクター２４、２５は天井面下の熱気流より熱を吸収して感熱体２０の低融点合金２２に熱を伝えることで低融点合金２２が溶融し、プランジャー２３がシリンダー２１内に埋没することで感熱作動部が作動する。
【００９５】
弁体を支持していた感熱作動部が作動したことで弁体の支持が解除され、弁体はノズルを開放し、ノズルより消火液が放出される。消火液の放出によってスプリンクラーヘッド内部に収納されていたデフレクターＤがノズルの前方に突出して配置され、ノズルより放出した消火液はデフレクターＤに衝突して四方に飛散され、消火液が周囲に散布されることで火災が抑制・消火される。
【実施例２】
【００９６】
続いて実施例２について図１０から図１２を参照して説明する。図１０は実施例２のスプリンクラーヘッドカバーおよびスプリンクラーヘッドの断面図、図１１は実施例２のハウジングの断面図。図１２は実施例２のハウジングの平面図である。
【００９７】
実施例２のスプリンクラーヘッドカバーは、ハウジング３１、カバープレート２から構成され、スプリンクラーヘッド４に取付けられる。尚、実施例１と構造が同じカバープレート２およびスプリンクラーヘッド４については、同符号を付して説明は省略する。また、ハウジング３１についても、実施例１と構造および機能について同じである箇所は同符号を付して説明は省略する。
【００９８】
ハウジング３１は断熱材料、具体的にはステンレス鋼や合成樹脂等から形成され、実施例１と同様に円筒部５およびフランジ６が形成されている。円筒部５は実施例１と同様であり、可動面７が形成され、該可動面７にスプリンクラーヘッド４と係合するための爪８が設置されている。
【００９９】
フランジ６には、実施例１と同様にフランジ６とカバープレート２の間に設置される板バネ９を係合するための切欠き１０が形成されている。
【０１００】
またフランジ６には、低融点合金１７を収容する複数の凹み３２が形成されている。凹み３２の底面３３はカバープレート２との接続面であり、底面３３の形状は、カバープレート２の内面形状に沿った斜面または曲面形状になっている。
【０１０１】
底面３３には、低融点合金１７によってカバープレート２との接合強度を向上させるために、低融点合金との接着性が良好な材料による皮膜３４が施されている。皮膜３４の具体的な材料として、銅やスズ等が上げられ、これら材料を底面３３に貼付、メッキ、塗付する等して皮膜３４が形成される。あるいは、低融点合金との接着性が良好な材料を、底面３３に埋め込んで形成してもよい。
【０１０２】
また、底面３３には、カバープレート２側に突出した小さな突起３５が設けられている。該突起３５により底面３３とカバープレート２との間には、僅かな隙間３６が設けられる。
【０１０３】
底面３３には、凹み３２から底面３３に貫通する小孔３７が穿設されており、凹み３２内の低融点合金１７を加熱し溶融させると、小孔３７から隙間３６へ毛細管現象によって溶融した低融点合金１７がカバープレート側に流出し、表面張力によって隙間３６内に留まり、冷却することで底面３３とカバープレート２が接合される。
【０１０４】
フランジ６のカバープレート２側の面には、放射状に複数の突起３８が形成されている。これは、カバープレート２が外力によって変形することを防止するものである。
【０１０５】
次に実施例２のスプリンクラーヘッドカバーの組立手順について説明する。
【０１０６】
まず、ハウジング３１の各々の凹み３２に低融点合金片１７を入れる。次にハウジング３１の底面３３をカバープレート２の上に載せる。この状態で底面３３とカバープレート２の間には突起３５によって隙間３６が形成されている。
【０１０７】
カバープレート２にハウジング３１を載せたものを炉に入れて加熱する。低融点合金１７は炉内の熱によって溶融し、毛細管現象によって底面３３とカバープレート２との隙間３６に流出する。
【０１０８】
上記ハウジング３１とカバープレート２を炉から取出して冷却すると、低融点合金１７が固まりハウジング３１とカバープレート２が接合される。最後にハウジング１の切欠き１０と板バネ９の爪１１が係合されるように配置させ、板バネ９の下面がカバープレート２の周縁の立ち上がり部より内側に納まるまで押し込めばスプリンクラーヘッドカバーが出来上がる。
【０１０９】
実施例２のスプリンクラーヘッドカバーでは、実施例１のようにマウント３をハウジング１に設置する手間がないので安価にスプリンクラーヘッドカバーを製造することができる。
【０１１０】
また、カバープレート２が吸収した熱は、ハウジング３１が断熱材料によって形成されているので、底面３３には熱が伝わらずに低融点合金１７の溶融のみに熱が消費され、低融点合金１７に無駄なく熱が伝わり溶融が促進される効果を有する。
【０１１１】
実施例２のスプリンクラーヘッドカバーのスプリンクラーヘッド４への取付け手順および火災時の作動については、実施例１と同様であるので説明は省略する。
【図面の簡単な説明】
【０１１２】
【図１】実施例１のスプリンクラーヘッドカバーおよびスプリンクラーヘッドの断面図
【図２】スプリンクラーヘッドカバーの平面図
【図３】スプリンクラーヘッドカバーの分解断面図
【図４】カバープレートとマウントの接合前の断面図
【図５】カバープレートとマウントの接合後の断面図
【図６】スプリンクラーヘッドの断面図
【図７】スプリンクラーヘッドカバーとスプリンクラーヘッドの係合部の拡大断面図
【図８】カバープレートが落下した図
【図９】スプリンクラーヘッドが作動した図
【図１０】実施例２のスプリンクラーヘッドカバーおよびスプリンクラーヘッドの断面図
【図１１】実施例２のハウジングの断面図
【図１２】実施例２のハウジングの平面図
【符号の説明】
【０１１３】
１  ハウジング
２  カバープレート
３  マウント
４  スプリンクラーヘッド
５  円筒部
６  フランジ
７  可動面
８  爪
９  板バネ
１３  マウントのフランジ
１４  切欠き
１５  突起
１６  隙間
１７、２２  低融点合金
２０  感熱体
２４  ヒートコレクター
２５  一番下に設置されるヒートコレクター
【図１】
0004673844.tif 000002
【図２】
0004673844.tif 000003
【図３】
0004673844.tif 000004
【図４】
0004673844.tif 000005
【図５】
0004673844.tif 000006
【図６】
0004673844.tif 000007
【図７】
0004673844.tif 000008
【図８】
0004673844.tif 000009
【図９】
0004673844.tif 000010
【図１０】
0004673844.tif 000011
【図１１】
0004673844.tif 000012
【図１２】
0004673844.tif 000013